【手続補正書】
【提出日】平成24年5月17日(2012.5.17)
【手続補正１】
【補正対象書類名】明細書
【補正対象項目名】０００５
【補正方法】変更
【補正の内容】
【０００５】
例えば、ＵＳ−Ａ  ５，５８９，５６３は、生物医学分野で使用されるポリマーについての表面変性末端基含有被膜の使用であって、該ポリマーがメディカルデバイスを被覆するためにも使用され得る使用を記載している。得られた被膜は、溶液または分散体から製造され、該ポリマー被膜は、アミン、フッ素化アルカノール、ポリジメチルシロキサンおよびアミン末端ポリエチレンオキシドから選択される異なった末端基を含有する。しかしながら該ポリマーは、メディカルデバイス用被膜としての特性、特に要求される親水性に関する特性を十分有していない。
【手続補正２】
【補正対象書類名】明細書
【補正対象項目名】００５１
【補正方法】変更
【補正の内容】
【００５１】
しかしながら、残留イソシアネート含有物を迅速にブロックする場合は、本発明に従って供給される溶液としてのポリウレタンウレア被覆組成物は、連鎖延長成分として、各々の場合にポリマー鎖末端に位置してポリマー鎖をブロックするモノマー（ｆ）を含有してもよい。
【手続補正３】
【補正対象書類名】明細書
【補正対象項目名】００５３
【補正方法】変更
【補正の内容】
【００５３】
構成単位（ｆ）は、実質的にＮＣＯ過剰を解消するため、本発明に従った溶液状被覆組成物に使用されるので、必要とされる量は、実質的にＮＣＯ過剰量に依存し、一般的に明記することはできない。
【手続補正４】
【補正対象書類名】明細書
【補正対象項目名】００９２
【補正方法】変更
【補正の内容】
【００９２】
イソシアネートプレポリマーおよびヒドロキシル基含有成分全てについて、溶融状態での反応が好ましいが、完全に反応した混合物の粘度が高くなりすぎるといった危険性が存在する。そのような場合、溶媒の添加が推奨されることもある。しかしながら、希釈により反応速度は著しく低下するので、可能ならば、約５０重量％以下の溶媒が存在すべきである。
【手続補正５】
【補正対象書類名】特許請求の範囲
【補正対象項目名】全文
【補正方法】変更
【補正の内容】
【特許請求の範囲】
【請求項１】
ポリエチレンオキシドおよびポリプロピレンオキシドのコポリマー単位によって終端されている少なくとも１種のポリウレタンウレアを含有する溶液状被覆組成物の、基材の被覆における使用。
【請求項２】
ポリウレタンウレアが少なくとも１種のヒドロキシル基含有ポリカーボネートに基づく単位を含有することを特徴とする、請求項１に記載の使用。
【請求項３】
ポリウレタンウレアが脂肪族または脂環式ポリイソシアネートに基づく単位を含有することを特徴とする、請求項１または２に記載の使用。
【請求項４】
ポリウレタンウレアが少なくとも１種のポリオールに基づく単位を含有することを特徴とする、請求項１〜３のいずれかに記載の使用。
【請求項５】
ポリウレタンウレアが少なくとも１種のジアミンまたはアミノアルコールに基づく単位を含有することを特徴とする、請求項１〜４のいずれかに記載の使用。
【請求項６】
ポリウレタンウレアが更なるヒドロキシル含有連鎖延長成分および／またはアミン含有連鎖延長成分に基づく単位を含有することを特徴とする、請求項１〜５のいずれかに記載の使用。
【請求項７】
ポリウレタンウレアが、以下の連鎖延長成分：
（ａ）少なくとも１種のポリカーボネートポリオール；
（ｂ）少なくとも１種のポリイソシアネート；
（ｃ）少なくとも１種の単官能性ポリオキシアルキレンエーテル；および
（ｄ）少なくとも１種のジアミンまたはアミノアルコール
から少なくともなることを特徴とする、請求項１〜６のいずれかに記載の使用。
【請求項８】
ポリウレタンウレアが、
（ｅ）少なくとも１種のポリオール
の連鎖延長成分を付加的に含有することを特徴とする、請求項１〜７のいずれかに記載の使用。
【請求項９】
ポリウレタンウレアが、以下の連鎖延長成分：
（ａ）４００ｇ／ｍｏｌ〜６０００ｇ／ｍｏｌの平均分子量および１．７〜２．３のヒドロキシル官能価を有する少なくとも１種のポリカーボネートポリオール、またはそのようなポリカーボネートポリオールの混合物；
（ｂ）ポリカーボネートポリオール１ｍｏｌにつき１．０〜３．５ｍｏｌの量の、少なくとも１種の脂肪族、脂環式または芳香族ポリイソシアネート或いはそのようなポリイソシアネートの混合物；
（ｃ）ポリカーボネートポリオール１ｍｏｌにつき０．０１〜０．５ｍｏｌの量の、５００ｇ／ｍｏｌ〜５０００ｇ／ｍｏｌの平均分子量を有する少なくとも１種の単官能性ポリオキシアルキレンエーテルまたはそのようなポリエーテルの混合物；
（ｄ）ポリカーボネートポリオール１ｍｏｌにつき０．１〜１．５ｍｏｌの量の、いわゆる連鎖延長剤としての、少なくとも１種の脂肪族または脂環式ジアミン或いは少なくとも１種のアミノアルコール或いはそのような化合物の混合物；および
（ｅ）任意に、ポリカーボネートポリオール１ｍｏｌにつき０．０５〜１．０ｍｏｌの量の、６２ｇ／ｍｏｌ〜５００ｇ／ｍｏｌの分子量を有する１種以上の短鎖脂肪族ポリオール
から少なくともなることを特徴とする、請求項１〜８のいずれかに記載の使用。
【請求項１０】
（Ａ）（Ｉ）溶融状態でまたは溶媒の存在下に溶液中で、ポリカーボネートポリオール、ポリイソシアネート、単官能性ポリオキシアルキレンエーテル、および任意にポリオールを、全ヒドロキシル基が消費されるまで反応させ；
（ＩＩ）更なる溶媒を添加し、場合により、溶解ジアミンまたは場合により溶解されていてよいアミノアルコールを添加してよく；そして
（ＩＩＩ）場合により、目的粘度に達した後になお存在する残留ＮＣＯ基を単官能性脂肪族アミンでブロックしてよい
ことによって被覆組成物を調製する工程、および
（Ｂ）工程（Ａ）に従って得られた被覆組成物で基材を被覆する工程
を含む、請求項１〜９のいずれかに記載の使用。
【請求項１１】
溶媒が、ジメチルホルムアミド、Ｎ−メチルアセトアミド、テトラメチルウレア、Ｎ−メチルピロリドン、γ−ブチロラクトン、芳香族溶媒、直鎖および環式のエステル、エーテル、ケトン、アルコール、並びにそれらの混合物からなる群から選択されることを特徴とする、請求項１０に記載の使用。
【請求項１２】
ポリウレタン溶液の固形分が５〜６０重量％であることを特徴とする、請求項１０または１１に記載の使用。
【請求項１３】
少なくとも１種のメディカルデバイスの被覆における、請求項１〜１２のいずれかに記載の使用。
【請求項１４】
医療以外の分野での技術的基材（technical substrate）の被覆における、請求項１〜１２のいずれかに記載の使用。
【請求項１５】
清浄または自己清浄しやすい表面の製造における、請求項１〜１２のいずれかに記載の使用。
【請求項１６】
ガラスおよび光学ガラスおよびレンズの被覆における、請求項１〜１２のいずれかに記載の使用。
【請求項１７】
衛生分野での基材の被覆における、請求項１〜１２のいずれかに記載の使用。
【請求項１８】
包装材料の被覆における、請求項１〜１２のいずれかに記載の使用。
【請求項１９】
被覆表面の汚れを低減するための、請求項１〜１２のいずれかに記載の使用。
【請求項２０】
水に対する基材の摩擦抵抗を低減するための、水上基材および水中基材の被覆における、請求項１〜１２のいずれかに記載の使用。
【請求項２１】
印刷用基材を作成するための、請求項１〜１２のいずれかに記載の使用。
【請求項２２】
化粧品用組成物の製造における、請求項１〜１２のいずれかに記載の使用。
【請求項２３】
種子を被覆するための活性成分放出システムの製造における、請求項１〜１２のいずれかに記載の使用。